(57)【特許請求の範囲】
【請求項１】
無線通信装置からの通信を着信するスロット付アクセスプロトコルを有する基地局と選択的に通信し、前記スロット付アクセスプロトコルは、前記無線通信装置からの通信パケットが到着する複数の別個のスロットを含み、スロットの中に先に到着する通信パケットが前記基地局によって先に取り扱われる、前記無線通信装置からのアクセスプローブに優先順位を付ける方法であって、前記方法は、
前記無線通信装置からの通信を前記基地局の前記スロット付アクセスプロトコルと同期させること、を備え、前記方法は、
前記無線通信装置が、前記アクセスプローブが優先順位データを含むかどうかを判定し、前記判定に基づいて前記基地局への前記アクセスプローブの送信において所定の遅延Ｄを設定することを通じて、アクセスプローブが前記基地局において前記スロットの範囲内に到着するときに、優先順位を付け、それによって、優先順位の高いアクセスプローブが前記基地局においてスロットの中に先に到着するようにするステップと、
前記基地局への前記アクセスプローブの前記送信における前記所定の遅延Ｄに付加的なランダム化遅延Ｐを加え、前記Ｐの値は前記Ｄの値より小さい、ステップと、
前記所定の遅延Ｄおよび前記付加的なランダム化遅延Ｐが経過した後に、前記基地局にデータを送信し、または、前記基地局からの資源を要求するために前記アクセスプローブを前記基地局へ送信するステップと、
を備えることによって特徴付けられる、方法。
【請求項２】
前記無線通信装置は、コンピュータプラットフォームを含み、前記コンピュータプラットフォームはクロックサイクルを含み、各クロックサイクルは前記基地局における前記スロットよりも短い持続時間を有し、前記基地局への前記アクセスプローブの送信における所定の遅延は、前記コンピュータプラットフォームの所定のクロックサイクルの整数である、請求項１に記載の方法。
【請求項３】
前記基地局は、前記アクセスプローブが前記スロットの中に到着する優先順位を選択的に無視する、請求項１に記載の方法。
【請求項４】
さらに所定の規準に基づいて前記無線通信装置で前記所定の遅延を選択的に変更することを備える、請求項１に記載の方法。
【請求項５】
前記基地局への前記アクセスプローブの送信において前記所定の遅延を設定することは前記無線通信装置に基づいて決定される、請求項１に記載の方法。
【請求項６】
前記基地局への前記アクセスプローブの送信において前記所定の遅延を設定することは前記アクセスプローブのタイプに基づいて決定される、請求項１に記載の方法。
【請求項７】
前記アクセスプローブが同じ優先順位レベルを有する他のアクセスプローブに関連する前記基地局において前記スロットの範囲内に到着するときに、前記ランダム化遅延は、ランダム化するために前記アクセスプローブの送信に加えられる、請求項１に記載の方法。
【請求項８】
前記基地局からの資源を要求するために前記アクセスプローブを前記基地局へ送信することは前記基地局からのトラフィックチャネルを要求することを備える、請求項１に記載の方法。
【請求項９】
無線通信装置からの通信を着信するスロット付アクセスプロトコルを含む基地局と選択的に通信し、前記スロット付アクセスプロトコルは、前記無線通信装置からの通信パケットが到着する複数の別個のスロットを含み、スロットの中に先に到着する通信パケットが前記基地局によって先に取り扱われる、無線通信装置であって、前記無線通信装置は、
前記無線通信装置からの通信を前記基地局の前記スロット付アクセスプロトコルと同期させる手段、
を備え、
第１のアクセスプローブを用いて前記基地局からの資源を要求することにより前記無線通信装置と前記基地局との間にトラフィックチャネルを確立する手段と、
前記基地局にデータを送信するか、または、前記基地局からの資源を要求するために第２のアクセスプローブを前記基地局へ送信し、さらに、前記第２のアクセスプローブが優先順位データを含むかどうかを判定し、前記判定に基づいて前記無線通信装置から前記基地局への前記第２のアクセスプローブの送信において所定の遅延Ｄを設定することを通じて、前記第２のアクセスプローブが前記基地局において前記スロットの範囲内に到着するときに、優先順位を付け、それによって、優先順位の高いアクセスプローブが前記基地局においてスロットの中に先に到着し、前記基地局への前記アクセスプローブの送信における前記所定の遅延Ｄに付加的なランダム化遅延Ｐを加え、前記Ｐの値は前記Ｄの値より小さく、前記第２のアクセスプローブは前記所定の遅延Ｄおよび前記ランダム化遅延Ｐが経過した後に、前記基地局に送信される、ようにする手段、
をさらに備えることによって特徴付けられる、無線通信装置。
【請求項１０】
前記アクセスプローブの送信における前記所定の遅延は、前記アクセスプローブが優先順位データを含むことを示す前記判定に応じて、０に設定される、請求項１に記載の方法。
【請求項１１】
前記アクセスプローブの送信における前記所定の遅延は、前記アクセスプローブが優先順位データを含まないことを示す前記判定に応じて、０よりも大きい値に設定され、前記アクセスプローブは、前記所定の遅延が経過した後に、前記基地局に送信される、請求項１に記載の方法。
【請求項１２】
請求項１−８、または１０−１１のいずれかの前記方法を実行する命令のセットを備えるコンピュータプログラム。
【発明の詳細な説明】
【技術分野】
【０００１】
本発明は移動通信に関する。より詳細には、本発明は、好ましくは、符号分割多元接続（ＣＤＭＡ）無線通信ネットワークにおいて、無線通信装置から基地局へ送信されたアクセスプローブの取り扱いに優先順位を付ける無線通信装置に関する。
【背景技術】
【０００２】
コンピュータネットワークでは、有線と無線のどちらでも、データ衝突が共有伝送メディアで起こるとき、および、２台のクライアントマシンが共に同時にデータを送信しようとするとき、「コンテンション・マネージメント」（"contention management”）に問題が生じる。ネットワーキングプロトコルは、イーサネット（登録商標）によって使用される「衝突検出キャリア・センス・マルチプル・アクセス」（ＣＳＭＡ／ＣＤ）、および、無線ネットワークのための「アロハ」（"Aloha”）プロトコルのような発生したデータ衝突を検出し修正するメカニズムを含む。アロハは、ブロードキャスト・トポロジをもつネットワークのためのＯＳＩレイヤ２プロトコルである。共有伝送メディア上のアロハプロトコルとイーサネット（登録商標）プロトコルとの間の１つの主要な相違は、イーサネット（登録商標）プロトコルがチャネルに接続されているすべてのコンピュータに衝突が発生したことを通知するためジャミング信号を同報するＣＳＭＡ／ＣＤを使用し、ネットワーク上のコンピュータにこれらのコンピュータの現在のパケットまたはフレームを強制的に棄却させることである。基本アロハプロトコルは、遅延を決定するために特定の一般的に認められている方法を用いることなく、コンピュータに衝突を通知し、コンピュータがこれらのコンピュータのデータを後で再び送信することを要求するだけである。
【０００３】
当初のアロハプロトコルの改良は、データを受信することができる別個のタイムスロットを導入した「スロット付アロハ」であった。プロトコルを実施するため、集中「クロック」がスロットのタイミングを通知するためにデータを遠隔地にあるクライアントへ送出し、クライアントは、スロット・タイム・データを受信した直後にこれらのクライアントのパケットを送信することだけが許可される。クライアントは、タイムスロットの先頭だけで送信することができ、よって、衝突は衝突のためのウィンドウが著しく縮小されるので削減される。
【０００４】
ほとんどのＣＤＭＡワイド・エリア・アクセス・ネットワークは、アクセス・チャネル（ＡＣ）多元接続プロトコルとしてスロット付アロハプロトコルの変形を使用する。「アクセス・チャネル」は、典型的に、主として、制御と、呼生起、ページ応答、および、登録のようなショートメッセージの送信とのため使用される移動装置対基地局の通信チャネルである。個別のアクセスメッセージは、「プローブ」と称されるデータの短い「バースト」の中に収容され、プローブは、プローブが基地局でタイミングスロットの中で受信されたときに基づいて取り扱われる。
【０００５】
よって、無線通信装置からのアクセスプローブは、基地局においてタイミングスロットの範囲内で衝突する可能性があり、スロットに最初に受信されたデータは、衝突するデータを送信する他の装置に損害を与えて取り扱われる。よって、本発明が主として対象とするのは、受信されたアクセスプローブの取り扱いに優先順位を付ける無線通信装置および方法の提供である。
【発明の概要】
【０００６】
簡単に説明すると、本発明は、無線通信装置からの通信パケットが受信され、スロットに先に到着する通信パケットが基地局によって先に取り扱われる複数の別個のスロットを含み、無線通信装置からの通信を着信するスロット付アクセスプロトコルを有する基地局の範囲内でアクセスプローブの受信に優先順位を付けるシステム、方法、および、無線通信装置を含む。無線通信装置は、送信されたアクセスプローブから生じる可能性があるどのような衝突に対しても基地局による取り扱いの優先順位を付けるように、アクセスプローブがスロットの中に先にまたは後に到着することを確実にするためアクセスプローブを送信するとき所定の遅延を静的または動的に変更することができる。基地局の近くでデータ衝突および一時的な優位性を回避するため、アクセスプローブを送信するとき無線通信装置による使用中にＰＮランダム化のような付加的な遅延が存在することがある。
【０００７】
一実施形態では、無線通信装置は、無線通信装置からの通信パケットが受信され、スロットに先に到着する通信パケットが基地局によって先に取り扱われる複数の別個のスロットを含み、無線通信装置からの通信を着信するスロット付アクセスプロトコルを含む基地局と選択的に通信し、無線通信装置は、無線通信装置からの通信を基地局のスロット付アクセスプロトコルと実質的に同期させるように構成されているコンピュータプラットフォームを含む。第１の通信装置は、コンピュータプラットフォームに付帯しているか、または、コンピュータプラットフォームで利用可能であり、典型的にアクセス・チャネルでアクセスプローブを基地局へ送信することにより基地局からの資源を要求するように構成されている。第２の通信装置は、同様にコンピュータプラットフォームに付帯し、アクセスプローブを基地局へ送信するように構成され、第２の通信装置は、無線通信装置から基地局へのアクセスプローブの送信に所定の遅延を含めることを通じて、基地局においてスロットの範囲内でアクセスプローブの受信に優先順位を付けるように構成され、それによって、優先順位の高いアクセスプローブが基地局においてスロットの中に先に受信されるようにする。
【０００８】
一実施形態では、無線通信装置からの通信パケットが受信され、スロットの中に先に到着する通信パケットが基地局によって先に取り扱われる複数の別個のスロットを含み、無線通信装置からの通信を着信するスロット付アクセスプロトコルを有する基地局と選択的に通信する無線通信装置からのアクセスプローブに優先順位を付ける方法は、無線通信装置からの通信を基地局のスロット付アクセスプロトコルと同期させることと、次に、無線通信装置から基地局へのアクセスプローブの送信に所定の遅延を含めることを通じて、基地局においてスロットの範囲内でアクセスプローブの受信に優先順位を付け、それによって、優先順位の高いアクセスプローブが基地局においてスロットの中に先に受信されるようにするステップと、データを送信し、および／または、基地局からの資源を要求するためにアクセスプローブを基地局へ送信することと、の各ステップを含む。
【０００９】
本システムおよび方法は、したがって、優先順位の低いアクセスプローブが基地局において同じアクセス・チャネル・スロットの中で優先順位の高いプローブと競合することになるときに限り優先順位の低いアクセスプローブにペナルティを課すメカニズムを提供するので有利である。他の衝突回避メカニズムが使用中である場合でさえ、より積極的なアクセスパラメータが優先順位の低いアクセスプローブより優先順位の高いアクセスプローブに対して容易に適用することができる。アクセスプローブ受信の優先順位付けは、プッシュ・ツー・トーク（ＰＴＴ）グループの通信セットアップおよび送信のようなタイミングが重要な通信において特に有利である。
【００１０】
本発明の他の目的、特徴、および利点は、図面の簡単な説明、発明の詳細な説明、および特許請求の範囲を検討した後に明らかになる。
【図面の簡単な説明】
【００１１】
【図１】図１は、無線ネットワークを介してグループ通信サーバおよび他のコンピュータ装置と通信する無線電気通信装置の指定されたＰＴＴグループを含む無線ネットワークの代表的な図である。
【図２】図２は、ＰＴＴグループメンバの無線電気通信装置間のグループ通信サーバ制御通信を有する一般的なセルラー電気通信構成における無線ネットワークの一実施形態の代表的な図である。
【図３】図３は、ＰＴＴ能力を備えた無線電気通信装置のコンピュータプラットフォームを示すブロック図である。
【図４】図４は、アクセスプローブが無線通信装置および他の装置から基地局で受信された状態で、無線通信装置のうちの１台と位置合わせされた基地局の通信スロットの代表的な図である。
【図５】図５は、衝突時に優先順位の高いアクセスプローブが所定のスロットの中に所定の優先順位で先に受信される可能性が高くなるように基地局へ送信されているアクセスプローブに優先順位を付けるプロセスのフローチャートである。
【発明の詳細な説明】
【００１２】
本文書中、「通信装置」、「無線装置」、「無線通信装置」、「ＰＴＴ通信装置」、「ハンドヘルド型装置」、「移動装置」、および、「ハンドセット」という用語は互いに置き換え可能である。「呼」および「通信」という用語も同様に互いに置き換え可能で使用される。本文書中で使用されるときの「アプリケーション」という用語は、実行可能なソフトウェアファイルおよび実行不可能なソフトウェアファイルと、未加工データと、集合的データと、パッチと、他のコードセグメントとを包含することが意図されている。「例示的」という用語は、開示された要素または実施形態が単なる実施例であり、ユーザのいかなる優先傾向も示唆しないことを意味している。さらに、類似した番号は、いくつかの図を通じて類似した要素を指示し、「ａ」および「ｔｈｅ」という冠詞は、明細書中で特に断らない限り、複数形を指すことがある。
【００１３】
本システムおよび方法は、すべての無線通信装置が同じパーシステンス確率を有し、それにもかかわらず、ＣＭＤＡ標準の特性を利用することにより異なるアクセスプローブ毎に異なった優先順位レベルを実施することを可能にする。ＣＤＭＡシステムでは、アクセスプローブは、他のアクセスプローブよりある一定の「チップ」数だけ先に基地局に到着するならば、類似した受信出力レベルをもつ１つまたはそれより多くの他のアクセスプローブと衝突するときであっても、基地局による復号化に成功することができる。典型的に、ＣＤＭＡシステムにおけるチップの持続時間は、情報ビットの持続時間より十分に短い。このことは、アクセスプローブが時間的に非常に短い期間しか分離されていない別のアクセスプローブと衝突するときであっても、基地局がこのアクセスプローブの復号化に成功できることを示唆する。優先順位の高いアクセスプローブを基地局に先に到着させるため、無線通信装置は、アクセスプローブの優先順位レベルに応じて、この無線通信装置のアクセスプローブの送信を指定されたチップ数だけ遅らせることができる。チップレベル遅延は最高優先順位のアクセスプローブには適用されず（ｄ１＝０）、ｄ２チップ遅延は優先順位レベルが次に高いアクセスプローブに適用され、以下同様である。一般に、ｄｎがｎ番目の優先順位レベルのアクセスプローブに適用されるチップ遅延を表す場合、ｄ１、ｄ２、...、ｄＮ（ｄ１＜ｄ２＜...＜ｄＮ）を使用することにより、Ｎ個の優先順位レベルを定義することができる。さらに、所定の遅延は、異なるパーシステンス確率を使用する従来型の優先順位付けメカニズムと組み合わせることができる。すなわち、チップ遅延は、共通したパーシステンス確率を使用することになるアクセスプローブにさらに優先順位を付けるために使用することができる。
【００１４】
ｌｘ  ＥＶ−ＤＯネットワークでは、異なったパーシステンス確率（ＡＰｅｒｓｉｓｔｅｎｃｅ）が異なったアクセス端末クラスに対し定義される。異なった優先順位を異なった無線通信装置１４、１６、１８に割り当てる標準的技法は、装置の複数のクラスを定義し、クラスに応じて異なったアクセスパラメータを適用する。たとえば、緊急要員のような高優先順位クラスに属する装置は、好ましいパーシステンス確率を有するので、アクセスプローブを直ちに送信することができる。低優先順位クラスの中の装置は、より長いパーシステンス試験を受ける必要があるので、より長いアクセス・チャネル伝送遅延を被る。あまり好ましくないパーシステンス確率は、好ましくは、アクセス・チャネル・トラフィック負荷とは無関係に低優先順位クラスの装置に適用される。代替的な実施形態では、優先順位付けが無線通信装置毎ではなくアクセスプローブ毎に必要とされる場合、異なったパーシステンス優先順位が同じ無線通信装置１４、１６、１８からの異なったアクセスプローブに適用されることができる。
【００１５】
図１は、無線電話機１４、スマートページャ１６および携帯情報端末（ＰＤＡ）１８のようなＰＴＴグループ１２の中の１台以上の無線電気通信装置の間のグループ通信を無線ネットワーク２０の向こう側の他の無線電気通信装置と共有する典型的なシステム１０の一実施形態を示す。システム１０において、各無線電気通信装置１４、１６、１８は、無線通信ネットワーク２０を介して、１または複数の他の無線電気通信のうちの１台以上からなるターゲット集合と選択的に直接通信する能力をもつ。たとえば、移動電話機１４のためのターゲット集合は、通信グループ１２の中のすべての装置でもよく、または、ページャ１６およびＰＤＡ１８のような通信グループの部分集合でもよい。
【００１６】
本実施形態では、無線電気通信装置（移動電話機１４のような）は、無線装置が無線ネットワーク２０に存在すること、すなわち、アクセスできることを知らせるために、ここでは、無線ネットワーク２０を介してサーバ側ＬＡＮ３０に存在するサーバ３２として示されている少なくともグループ通信コンピュータ装置へフラグを送信する。グループ通信コンピュータ装置３２は、この情報を第１の無線電気通信装置によって指定されるターゲット無線電気通信装置の集合と共有することができるか、または、サーバ側ＬＡＮ３０にある他のコンピュータ装置と共有することができるか、もしくは、無線ネットワーク２０を介してアクセス可能である。グループ通信コンピュータ装置３２は、無線装置のためのグループ識別データを格納するために付属データベースまたはアクセス可能なデータベース３４を有する。データ記憶装置３６は、グループ通信に関するデータを選択的に格納するためサーバ側ＬＡＮ３０にさらに存在することができる。サーバ側ＬＡＮ３０に存在するか、または、無線ネットワーク２０、もしくは、一般にインターネットを介してアクセス可能であるコンピュータコンポーネントの台数は制限されないことが認められるべきである。
【００１７】
ＰＴＴ通信のような直接通信は、通信中の無線電気通信装置１４、１６、１８とターゲット集合のうちの１台以上の他の無線電気通信装置との間の半二重チャネルを通じて確立することができる。さらに、グループ通信コンピュータ装置３２は、ターゲット集合の中の無線電気通信装置のうちの少なくとも１台がグループ通信コンピュータ装置３２に無線ネットワーク２０上に存在することを通知している場合、要求されたターゲット集合との直接通信をブリッジしようとすることができる。
【００１８】
グループ通信コンピュータ装置３２は、無線ネットワーク２０上に存在することをグループ通信コンピュータ装置３２に通知していないターゲット集合の中の無線電気通信装置（または少なくとも１台）が無いとき、直接通信をターゲット集合１２にブリッジできないことを無線電気通信装置１４、１６、１８にさらに通知することができる。さらに、グループ通信コンピュータ装置３２は、ここでは、グループ識別データの付属データベース３４を有するものとして示されているが、グループ通信コンピュータ装置３２は、このグループ通信コンピュータ装置に備わっているグループ識別データを有することができ、本文書中に記載されているすべての記憶機能を実行することができる。
【００１９】
半二重音声通信に加えて、ＪＰＥＧ、ＴＩＦなどにおけるピクチャ、ＭＰ３、ＭＰ４、ＷＡＶなどのようなオーディファイルなどのグループ指向メディアが存在することができる。メディアは、マルチメディア・アプリケーション（パワーポイント、ＭＯＶファイルなど）のようなストリーミングメディアでもよい。グループ指向メディアは、ストリーミングメディア、または、データ記憶装置３６上でホストされているゲーム、または、個人掲示板のような無線通信ネットワーク２０上の別のコンピュータ装置の対話型セッションでもよい。同様に、グループ指向メディアは、話し手のピクチャが実質的にリアルタイムで、または、遅延して他のグループメンバへ同報される通信グループのメンバ間の半二重ビデオ会議でもよい。
【００２０】
無線通信装置１４、１６、１８は、送信されるべきグループ指向通信を要求する時点、たとえば、ターゲットリストを送信する時点に通信グループ識別データをグループ通信コンピュータ装置３２へ送信することができる。代替的に、無線通信装置がグループ指向通信を送信する前に、無線通信装置１４、１６、１８は、グループ通信コンピュータ装置３２からの通信グループ１２のためのメンバデータを要求することができるか、または、グループ通信コンピュータ装置３２は、１つまたはそれより多くのアドレス、もしくは、通信グループアドレスを無線通信装置１４、１６、１８へ送信することができる。
【００２１】
図２は、ＰＴＴシステムにおける集合グループメンバの無線通信装置（装置７０、７２、７４、７６）の間の通信を制御する一連のグループ通信コンピュータ装置（グループ通信サーバ）３２を有するセルラー電気通信構成における無線ネットワークの一実施形態の代表的な図である。無線ネットワークは、単に例示であり、遠隔モジュールが相互間および多数間で、および／または、限定されることなく、無線・ネットワーク・キャリアおよび／またはサーバを含む無線ネットワーク２０のコンポーネントの相互間および多数間で地上波を用いて通信するあらゆるシステムを含むことができる。一連のグループ通信サーバ３２は、グループ通信サーバＬＡＮ５０に接続されている。無線電話機は、データ・サービス・オプションを使用して、（複数の）グループ通信サーバ３２からのパケット・データ・セッションを要求することができる。
【００２２】
グループ通信サーバ３２（複数）は、ここでは、キャリア・ネットワーク５４上に存在するＰＳＤＮ５２のような無線・サービス・プロバイダのパケット・データ・サービス・ノード（ＰＤＳＮ）に接続されている。各ＰＳＤＮ５２は、パケット制御機能（ＰＣＦ）６２によって基地局６０の基地局コントローラ６４とインターフェイスをとることができる。ＰＣＦ６２は、典型的に、基地局６０の中にある。キャリア・ネットワーク５４は、メッセージング・サービス・コントローラ（ＭＳＣ）５８へ送信された（一般的にデータパケットの形をした）メッセージを制御する。キャリア・ネットワーク３０は、ネットワーク、インターネット、および／または、ＰＯＳＴ（「一般電話サービス」）を用いてＭＳＣ３２と通信する。典型的に、キャリア・ネットワーク５４とＭＳＣ５８との間のネットワークまたはインターネット接続はデータを転送し、ＰＯＴＳは音声情報を転送する。ＭＳＣ５８は、１台以上の基地局６０に接続することができる。キャリア・ネットワークと同様の方式で、ＭＳＣ５８は、典型的に、データ転送用のネットワークおよび／またはインターネットと音声情報用のＰＯＴＳとの両方によってブランチ・ツー・ソース（ＢＳＣ）６６に接続されている。ＢＴＳ６６は、最終的に、ショート・メッセージ・サービス（ＳＭＳ）または当分野で知られている他の地上波による方法によって、携帯電話機７０、７２、７４、７６のような無線装置との間でメッセージを無線で同報し受信する。キャリア境界および／またはＰＴＴオペレータ・ネットワーク境界は、本文書中に記載されているように、データの共有を抑止または禁止しないことにさらに注意を要する。
【００２３】
計算能力が増大された無線電話機１４のような携帯電話機および移動通信装置が製造され、パーソナルコンピュータおよびハンドヘルド型ＰＤＡに等しくなりはじめている。これらの「スマート」携帯電話機は、ソフトウェア開発者が無線装置のプロセッサにダウンロード可能であり、かつ、実行可能であるソフトウェアアプリケーションを創作することを可能にする。携帯電話機１４のような無線装置は、ウェブページ、アプレット、ミッドレット、ゲーム、および、データのような多様なアプリケーションをダウンロード可能である。通信グループ１２（図１）を指定した無線装置では、無線通信装置は、集合の他のメンバと直接的に接続することができ、音声およびデータ通信を行うことができる。しかし、すべてのこのような直接通信は、グループ通信コンピュータ装置３２を介して、または、グループ通信コンピュータ装置３２の制御で行われる。装置のすべてのデータパケットは、必ずしもグループ通信コンピュータ３２自体を通過しなくてもよいが、グループ通信コンピュータ装置３２は、典型的に、通信グループのメンバの身分を知っているか、および／または、取り出すことができるか、または、通信グループ１２のメンバの身分を別のコンピュータ装置へ命令することができるサーバ側３０のみのコンポーネントであるので、最終的に通信を制御できることが必要である。
【００２４】
図３は、装置のターゲット集合、すなわち、通信グループ１２の他のメンバへの直接通信を開設するＰＴＴボタン７８付きの携帯電話機１４である無線電気通信装置の一実施形態を示すブロック図である。無線装置１４は、無線装置１４のユーザへのグラフィックスディスプレイ８０を有するようにさらに示されている。無線装置１４は、音声パケットおよびデータパケットを取り扱うことができ、グループ指向メディアを含むため、無線ネットワーク２０を介して送信されるソフトウェアアプリケーションを受信し実行することができるコンピュータプラットフォーム８２を含む。コンピュータプラットフォーム８２は、他のコンポーネントの中で特に、特定用途向け集積回路（ＡＳＩＣ）８４、もしくは、他のプロセッサ、マイクロプロセッサ、論理回路、プログラマブル・ゲート・アレイ、または、他のデータ処理装置を含む。ＡＳＩＣ８４は、無線装置の製造時に取り付けられ、通常はアップグレードできない。ＡＳＩＣ８４、または、他のプロセッサは、常駐アプリケーション環境を含むアプリケーション・プログラミング・インターフェイス（ＡＰＩ）レイヤ８６を実行し、ＡＳＩＣ８４にロードされたオペレーティングシステムを含むことができる。常駐アプリケーション環境は、無線装置のメモリ８８のいずれの常駐プログラムともインターフェイスをとる。常駐アプリケーション環境の一実施例は、無線装置プラットフォームのためＱＵＡＬＣＯＭＭ（登録商標）によって開発された「無線用バイナリランタイム環境」（ＢＲＥＷ）である。
【００２５】
ここに示されているように、無線装置は、グラフィックスディスプレイ８０付きの携帯電話機１４でもよいが、携帯情報端末（ＰＤＡ）、グラフィックスディスプレイ８０付きのページャ、または、さらには、無線通信ポータルを有するか、さもなければ、ネットワークもしくはインターネットへの有線接続を有することがある別個のコンピュータプラットフォーム８２のような、技術的に知られているコンピュータプラットフォーム８２付きのどのような無線装置でもよい。さらに、メモリ８８は、リード・オンリ・メモリもしくはランダム・アクセス・メモリ（ＲＡＭおよびＲＯＭ）、ＥＰＲＯＭ、ＥＥＰＲＯＭ、フラッシュカード、または、コンピュータプラットフォームに共通している何らかのメモリで構成されることが可能である。コンピュータプラットフォーム８２は、メモリ８８において活発に使用されることがないソフトウェアアプリケーションの格納のためのローカルデータベース９０を含むこともできる。ローカルデータベース９０は、典型的に、１つまたはそれより多くのフラッシュ・メモリ・セルで構成されているが、当分野で知られているように、磁気メディア、ＥＰＲＯＭ、ＥＥＰＲＯＭ、光学メディア、または、テープもしくはハードディスクなどのどのような２次記憶装置または３次記憶装置でもよい。グラフィックスディスプレイ８０は、本文書中でより詳しく記載されるように、ファイルプレビューを含めるため、進行中のグループ呼に関する情報だけでなく、グループ指向メディア上の情報も提示することができる。
【００２６】
無線装置の本実施形態では、コンピュータプラットフォーム８２は、無線装置からの直接通信チャネルを開設することができる直接通信インターフェイス９２をさらに含む。直接通信インターフェイス９２は、普通は無線装置との間で送信される音声およびデータを搬送する無線装置用の標準通信インターフェイスの一部分でもよい。直接通信インターフェイス９２は、典型的に、当分野で知られているようにハードウェアで構成されている。
【００２７】
図４は、無線通信装置のうちの１台とアラインメントされる基地局の通信スロットの代表的な図である。各スロット持続期間は、多数のチップ持続期間に亘る。アクセスプローブは、無線通信装置１４、１６、１８および他の装置から基地局で受信される。アクセスプローブ１００、１０２、１０４は、基地局において所定のスロットの範囲内で受信される。アクセスプローブは、データを送信するか、または、システムからの資源を要求するかのいずれかのため使用することができる。本明細書および特許請求の範囲で使用されているように、「データを送信する、または、資源を要求する」という用語は、機能を個別に包含するか、または、組み合わされた両方を包含するかのいずれかが意図されている。アクセスプローブ１００は、アクセスプローブ１０２より数チップ先に受信されたので、スロットＮにおいて取り扱われる。アクセスプローブ１０２は、基地局がスロットの中で複数のアクセスプローブを取り扱うことができる能力を有しない限り、基地局によって送信されない。アクセスプローブ１０２がスロットＮにおいて基地局によって取り扱われない場合、関連付けられている通信装置は後でアクセスプローブを再送信する。アクセスプローブ１０４は、スロットＮ＋１で受信されているので、このスロットＮ＋１で取り扱われる。本システムは、したがって、プローブ１０２と同じように所定のスロットに後で到着するように、優先順位の低いプローブに遅延を設定することができる。所定のチップ遅延は、一実施形態では、アクセスプローブ１００のようなＰＴＴ通信に関係したアクセスプローブがスロットに常に先に到着するようにする。
【００２８】
優先順位の低いアクセスプローブは、優先順位の高いアクセスプローブより後で基地局６０に到着するので、失われる可能性があることに注意すべきである。基地局６０は、ある程度のチップ数によって分離されている２つ以上の同時に起こるアクセスプローブを復号化する能力をもつ場合、両方のアクセスプローブは受信されたシーケンスの中でうまく復号化することができる。
【００２９】
図５は、図４に示されるように、衝突の場合に、優先順位の高いアクセスプローブが所定のスロットで、かつ、所定の優先順位で先に受信される可能性があるように、基地局６０に送信されているアクセスプローブに優先順位を付けるプロセスの一実施形態のフローチャートである。アクセスプローブを送信する要求は、ステップ１１０に示されているように、無線通信装置１４、１６、１８のコンピュータプラットフォームで受信される。その後、判定１１２に示されているように、アクセスプローブが優先順位データを格納しているかどうかが判定され、アクセスプローブが優先順位データを格納している場合、所定のチップ遅延は０に設定される。そうでなければ、プローブが判定１１２で優先順位を有しない場合、ステップ１１６に示されるように所定の遅延Ｄが加えられる。場合によっては、ＣＤＭＡシステムにおいて使用されることがよくある付加的なＰＮランダム化遅延Ｐは、好ましくは、（Ｐ＜Ｄ）となるようなランダム化遅延Ｐが利用されるステップ１１８に示されるように、同じ優先順位レベルの範囲内でプローブの受信時刻をランダム化するため適用することができる。プローブは、その後、ステップ１２０に示されるように、所定の遅延およびＰＮランダム化遅延の経過後に基地局６０へ送信される。この考え方は、簡単な方式で３つ以上の優先順位レベルに一般化することができる。この同じ方法が、当業者に明白であるように、デフォルト遅延、優先順位の反対仮説、および、他の変形のような多種多様のパラメータを用いて適用されることができる。
【００３０】
システム１０は、無線通信装置１４、１６、１８からの通信パケットが受信され、スロットに先に到着する通信パケットが基地局６０によって先に取り扱われる複数の別個のスロットを含み、（図４に示されるように）無線通信装置からの通信を着信するスロット付アクセスプロトコルを有する基地局６０と選択的に通信する無線通信装置１４、１６、１８からのアクセスプローブに優先順位を付ける発明の方法であって、無線通信装置１４、１６、１８からの通信を基地局６０のスロット付アクセスプロトコルと同期させるステップと、基地局６０へのアクセスプローブの送信に所定の遅延を含めることを通じて、基地局６０においてスロットの範囲内でアクセスプローブの受信に優先順位を付け、それによって、優先順位の高いアクセスプローブが基地局６０においてスロットの中に先に受信されるようにするステップと、データを送信し、および／または、基地局からの資源を要求するためにアクセスプローブを基地局６０へ送信するステップとを含む方法を提供することがわかる。
【００３１】
一実施形態では、コンピュータプラットフォーム８２はクロックサイクルを含むことができ、各サイクルは持続期間において基地局６０のスロットの持続期間より短く、所定のクロックサイクル数（チップ遅延など）を含む所定の遅延を基地局６０へのアクセスプローブの送信に含める。基地局６０は、さらに優先順位を選択的に無視することができ、アクセスプローブはスロットの中で受信される。さらに、無線通信装置１４、１６、１８は、無線通信装置１４、１６、１８または送信されているアクセスプローブのタイプのような所定の規準に基づいて、所定の遅延を選択的に変更することができる。アクセスプローブへの１つまたはそれより多くの付加的な所定の遅延は、無線通信装置１４、１６、１８によって実施することができる。さらに、基地局６０からの資源を要求するためにアクセスプローブを基地局６０へ送信することは、当業者に知られているように、トラフィックチャネルまたは他の資源を要求することでもよい。
【００３２】
移動装置および他のコンピュータプラットフォームで実行可能である方法を考慮すると、その結果、この方法は、コンピュータ読み取り可能な媒体に常駐し、コンピュータプラットフォームを有する移動装置または他のコンピュータ装置にこの方法のステップを実行することを命令するプログラムによって実行することができる。コンピュータ読み取り可能な媒体は、サーバのメモリでもよく、または、連結データベースでもよい。さらに、コンピュータ読み取り可能な媒体は、当分野で知られているように磁気ディスクもしくはテープ、光学ディスク、ハードディスク、フラッシュメモリ、または、他の記憶媒体のような、無線通信装置コンピュータプラットフォームにロード可能である２次記憶媒体の中にあってもよい。
【００３３】
１つまたはそれより多くの例示的な実施形態では、記載された機能は、ハードウェア、ソフトウェア、ファームウェア、または、これらのいずれかの組み合わせで実施されることがある。ソフトウェアで実施される場合、機能は、１つまたはそれより多くの命令またはコードとして、コンピュータ読み取り可能な媒体に格納されるか、または、コンピュータ読み取り可能な媒体を介して送信されることがある。コンピュータ読み取り可能な媒体は、ある場所から別の場所へのコンピュータ・プログラムの転送を実現し易くする何らかの媒体を含めて、コンピュータ記憶媒体および通信媒体の両方を含む。記憶媒体は、コンピュータによってアクセス可能である利用可能な媒体であればよい。一実施例として、限定なしに、このようなコンピュータ読み取り可能な媒体は、ＲＡＭ、ＲＯＭ、ＥＥＰＲＯＭ、ＣＤ−ＲＯＭもしくは他の光学ディスクストレージ、磁気ディスクストレージもしくは他の磁気ストレージ装置、または、所望のプログラム・コードを命令もしくはデータ構造の形式で担持もしくは格納するため使用することができ、かつ、コンピュータによってアクセス可能である何らかの他の媒体を備えることができる。さらに、どのような接続でも適切にコンピュータ読み取り可能な媒体と呼ばれる。たとえば、ソフトウェアが、同軸ケーブル、光ファイバケーブル、対より線、デジタル加入者回線（ＤＳＬ）、または、赤外線、無線、および、マイクロ波のような無線技術を使用して、ウェブサイト、サーバ、または、他の遠隔資源から送信される場合、同軸ケーブル、光ファイバケーブル、対より線、ＤＳＬ、または、赤外線、無線、および、マイクロ波のような無線技術は、媒体の定義に含まれる。本文書中で使用されているように、ディスク（ｄｉｓｋおよびｄｉｓｃ）は、コンパクトディスク（ＣＤ）、レーザディスク、光ディスク、デジタル多用途ディスク（ＤＶＤ）、フロッピー（登録商標）ディスク、および、ブルーレイディスクを含み、ディスク（ｄｉｓｋ）は大抵磁気的にデータを再生するが、ディスク（ｄｉｓｃ）はレーザを用いて光学的にデータを再生する。上記の組み合わせもまたコンピュータ読み取り可能な媒体の範囲内に包含されるべきである。
【００３４】
本発明は、それの好ましい実施形態について詳細に示されかつ説明されたが、形式および細部における種々の変更が、特許請求の範囲に記載されているような本発明の範囲から逸脱することなく行われることができるが当業者には理解されるであろう。さらに、本発明の要素は単数形で記載され、または、請求項に記載されているが、単数形への限定が特に断られていない限り、複数形が考慮されている。
以下に、本願出願の当初の特許請求の範囲に記載された発明を付記する。
［Ｃ１］
無線通信装置からの通信を着信するスロット付アクセスプロトコルを含む基地局と選択的に通信し、前記スロット付アクセスプロトコルは、無線通信装置からの通信パケットが受信され、スロットに先に到着する通信パケットが前記基地局によって先に取り扱われる複数の別個のスロットを含む、無線通信装置であって、
前記無線通信装置からの通信を前記基地局の前記スロット付アクセスプロトコルと実質的に同期させるように構成されているコンピュータプラットフォームと、
アクセスプローブを前記基地局へ送信することによりデータを送信するか、または、前記基地局からの資源を要求するように構成されている第１の通信装置と、
アクセスプローブを前記基地局へ送信するように構成され、前記無線通信装置から前記基地局への前記アクセスプローブの送信に所定の遅延を含めることを通じて、前記基地局において前記スロットの範囲内でアクセスプローブの受信に優先順位を付けるようにさらに構成され、それによって、優先順位の高いアクセスプローブが前記基地局においてスロットの中に先に受信されるようにする第２の通信装置と、
を備える無線通信装置。
［Ｃ２］
前記コンピュータプラットフォームはクロックサイクルを含み、各サイクルは持続期間において前記基地局のスロットの持続期間より短く、前記アクセスプローブのための前記所定の遅延は所定のクロックサイクル数である、Ｃ１に記載の無線通信装置。
［Ｃ３］
前記第１の通信装置および前記第２の通信装置は前記無線通信装置の前記コンピュータプラットフォームにアクセスすることができる別個の装置である、Ｃ１に記載の無線通信装置。
［Ｃ４］
前記第１の通信装置および前記第２の通信装置は前記無線通信装置の同じ装置である、Ｃ１に記載の無線通信装置。
［Ｃ５］
前記所定の遅延は前記無線通信装置に基づいて決定される、Ｃ１に記載の無線通信装置。
［Ｃ６］
前記所定の遅延は送信されているアクセスプローブのタイプに基づいて決定される、Ｃ１に記載の無線通信装置。
［Ｃ７］
前記第２の通信装置はアクセスプローブへの１つまたはそれより多くの付加的な所定の遅延を実施するようにさらに構成されている、Ｃ１に記載の無線通信装置。
［Ｃ８］
前記基地局からの前記要求された資源はトラフィックチャネルである、Ｃ１に記載の無線通信装置。
［Ｃ９］
無線通信装置からの通信を着信するスロット付アクセスプロトコルを有する基地局と選択的に通信し、前記スロット付アクセスプロトコルは、前記無線通信装置からの通信パケットが受信され、スロットの中に先に到着する通信パケットが前記基地局によって先に取り扱われる複数の別個のスロットを含む、前記無線通信装置からのアクセスプローブに優先順位を付ける方法であって、
前記無線通信装置からの通信を基地局のスロット付アクセスプロトコルと同期させることと、
前記基地局への前記アクセスプローブの送信に所定の遅延を含めることを通じて、前記基地局において前記スロットの範囲内でアクセスプローブの受信に優先順位を付け、それによって、優先順位の高いアクセスプローブが前記基地局においてスロットの中に先に受信されるようにすることと、
データを送信し、または、前記基地局からの資源を要求するために前記アクセスプローブを前記基地局へ送信することと、
を備える方法。
［Ｃ１０］
コンピュータプラットフォームがクロックサイクルを含み、各クロックサイクルは持続期間において前記基地局のスロットの持続期間より短く、所定のクロックサイクル数を含む所定の遅延を前記基地局への前記アクセスプローブの送信に含める、Ｃ９に記載の方法。
［Ｃ１１］
前記基地局は、前記アクセスプローブがスロットの中に受信される前記優先順位を選択的に無視する、Ｃ９に記載の方法。
［Ｃ１２］
さらに所定の規準に基づいて前記無線通信装置で前記所定の遅延を選択的に変更する、Ｃ９に記載の方法。
［Ｃ１３］
前記基地局への前記アクセスプローブの送信に所定の遅延を含めることは前記無線通信装置に基づいて決定される、Ｃ９に記載の方法。
［Ｃ１４］
前記基地局への前記アクセスプローブの送信に所定の遅延を含めることは送信されているアクセスプローブのタイプに基づいて決定される、Ｃ９に記載の方法。
［Ｃ１５］
さらにアクセスプローブへの１つまたはそれより多くの付加的な所定の遅延を実施する、Ｃ９に記載の方法。
［Ｃ１６］
前記基地局からの資源を要求するために前記アクセスプローブを前記基地局へ送信することはトラフィックチャネルを要求することである、Ｃ９に記載の方法。
［Ｃ１７］
無線通信装置からの通信を着信するスロット付アクセスプロトコルを含む基地局と選択的に通信し、前記スロット付アクセスプロトコルは、前記無線通信装置からの通信パケットが受信され、スロットの中に先に到着する通信パケットが前記基地局によって先に取り扱われる複数の別個のスロットを含む、無線通信装置であって、
前記無線通信装置からの通信を基地局の前記スロット付アクセスプロトコルと実質的に同期させる手段と、
アクセスプローブを用いて前記基地局からの資源を要求することにより前記無線通信装置と前記基地局との間にトラフィックチャネルを確立する手段と、
データを送信するか、または、前記基地局からの資源を要求するためにアクセス通信プローブを前記基地局へ送信し、さらに、前記無線通信装置から前記基地局への前記アクセスプローブの送信に所定の遅延を含めることを通じて、前記基地局において前記スロットの範囲内でアクセスプローブの受信に優先順位を付け、それによって、優先順位の高いアクセスプローブが前記基地局においてスロットの中に先に受信されるようにする手段と、を備える無線通信装置。
［Ｃ１８］
無線通信装置からの通信を無線通信装置からの通信パケットが受信され、スロットの中に先に到着する通信パケットが基地局によって先に取り扱われる複数の別個のスロットを含む基地局のスロット付アクセスプロトコルと同期させる命令のセットと、
前記基地局への前記アクセスプローブの送信に所定の遅延を含めることを通じて、前記基地局において前記スロットの範囲内でアクセスプローブの受信に優先順位を付け、それによって、優先順位の高いアクセスプローブが前記基地局においてスロットの中に先に受信されるようにする命令のセットと、
データを送信し、または、前記基地局からの資源を要求するために前記アクセスプローブを前記基地局へ送信する命令のセットと、
を備えるコンピュータ読み取り可能な媒体を備えるコンピュータ読み取り可能なプロダクト。
［Ｃ１９］
前記アクセスプローブへの付加的な所定の遅延を実施する命令のセットをさらに備える、Ｃ１８に記載のコンピュータ読み取り可能なプロダクト。
［Ｃ２０］
所定の規準に基づいて前記無線通信装置で前記所定の遅延を変更する命令のセットをさらに備える、Ｃ１８に記載のコンピュータ読み取り可能なプロダクト。
【図１】
0005778216.tif 000002
【図２】
0005778216.tif 000003
【図３】
0005778216.tif 000004
【図４】
0005778216.tif 000005
【図５】
0005778216.tif 000006